(57)【要約】  【課題】フィルムの特性曲線上の足部および肩部の領域で記録されたシーンの画像であっても、色再現性が優れた高画質の仕上りプリントなどの画像を得ることができる画像処理装置、および画像処理方法を提供する。  【解決手段】本発明の画像処理装置は、フィルムに記録された画像が光電的に少なくとも赤、緑、青の３原色で読み取られ得られた入力画像データに所定の画像処理を施し、出力用の出力画像データとするものであり、フィルムの３原色の特性曲線と、入力画像データの各画素の３原色の各色の濃度とを比較し、入力画像データのうち、画素の３原色の各色の濃度が特性曲線の足部または肩部にあるものについては、カラーバランスが適正になるように各色の濃度の補正量を設定してダイナミックレンジの圧縮条件を設定し、それ以外のものは補正量を設定することなく、ダイナミックレンジの圧縮条件を設定する。【選択図】図１
2007074373.tif 000002
【特許請求の範囲】
【請求項１】
フィルムに記録された画像が光電的に少なくとも赤、緑、青の３原色で読み取られて得られた入力画像データに所定の画像処理を施し、出力用の出力画像データとする画像処理装置であって、
前記入力画像データのダイナミックレンジの圧縮処理を行う処理手段を有し、
前記処理手段は、前記入力画像データのダイナミックレンジの圧縮条件を設定する設定部を有するものであり、
前記設定部は、フィルムの種類ごとにフィルムの前記３原色の特性曲線が記録されたフィルムデータベース、および前記フィルムデータベースを参照して、前記画像が記録されたフィルムの３原色の特性曲線を得、前記フィルムの前記３原色の特性曲線と、前記入力画像データの各画素の３原色の各色の濃度とを比較し、前記入力画像データのうち、画素の３原色の各色の濃度が前記特性曲線の足部または肩部にあるものについては、それぞれ前記特性曲線に基づいてカラーバランスが適正になるように各色の濃度の補正量を設定し、前記補正量を用いて前記ダイナミックレンジの圧縮条件を設定する画像解析部を備えるものであり、
前記画像解析部は、画素の３原色の各色の濃度が前記特性曲線の足部または肩部ではないものについては、補正量を設定することなく、前記ダイナミックレンジの圧縮条件を設定することを特徴とする画像処理装置。
【請求項２】
前記処理手段は、前記入力画像データの明暗画像データを作成する作成手段と、前記明暗画像データの低周波成分を抽出する抽出手段と、前記設定部により設定された圧縮条件に基づく圧縮量で前記入力画像データを圧縮するための圧縮処理用画像データを、前記低周波成分と前記補正量とに基づいて作成する圧縮処理用画像データ作成手段と、前記圧縮処理用画像データと前記入力画像データとを加算する加算器とを備える請求項１に記載の画像処理装置。
【請求項３】
前記処理手段は、前記入力画像データの明暗画像データを前記入力画像データと前記補正量とに基づいて作成する作成手段と、前記明暗画像データの低周波成分を抽出する抽出手段と、前記設定部により設定された圧縮条件に基づく圧縮量で前記入力画像データを圧縮するための圧縮処理用画像データを、前記低周波成分から作成する圧縮処理用画像データ作成手段と、前記圧縮処理用画像データと前記入力画像データとを加算する加算器とを備える請求項１に記載の画像処理装置。
【請求項４】
フィルムに記録された画像が光電的に少なくとも赤、緑、青の３原色で読み取られて得られた入力画像データに所定の画像処理を施し、出力用の出力画像データとする画像処理方法であって、
前記入力画像データの各画素の濃度を特定する工程と、
前記画像が記録されたフィルムの種類を特定し、特定されたフィルムの前記３原色の特性曲線と、前記入力画像データの各画素の３原色の各色の濃度とを比較し、画素の３原色の各色の濃度が前記特性曲線の足部または肩部にあるものについては、それぞれ前記特性曲線に基づいてカラーバランスが適正になるように各色の濃度の補正量を設定する工程と、
濃度が前記特性曲線の足部または肩部にあるものについては、前記補正量の情報を用いて、前記入力画像データのダイナミックレンジの圧縮条件を設定し、画素の３原色の各色の濃度が前記特性曲線の足部または肩部ではないものは、補正量を設定することなく、前記ダイナミックレンジの圧縮条件を設定する工程と、
前記設定されたダイナミックレンジの圧縮条件に応じて、前記入力画像データのダイナミックレンジの圧縮処理を行う工程とを有することを特徴とする画像処理方法。
【請求項５】
前記補正量を設定する工程の後工程に、
前記入力画像データの明暗画像データを作成する工程と、前記明暗画像データの低周波成分を抽出する工程とを有し、
前記入力画像データのダイナミックレンジの圧縮処理を行う工程は、前記ダイナミックレンジの圧縮条件に基づく圧縮量で前記入力画像データを圧縮するための圧縮処理用画像データを、前記低周波成分および前記補正量に基づいて作成し、前記圧縮処理用画像データと前記入力画像データとを加算するものである請求項４に記載の画像処理方法。
【請求項６】
前記補正量を設定する工程の後工程に、
前記入力画像データと前記補正量とに基づいて、前記明暗画像データを作成する工程を有し、
さらに、前記明暗画像データの低周波成分を抽出する工程と、
前記入力画像データのダイナミックレンジの圧縮処理を行う工程は、前記ダイナミックレンジの圧縮条件に基づく圧縮量で前記入力画像データを圧縮するための圧縮処理用画像データを、前記低周波成分に基づいて作成し、前記圧縮処理用画像データと前記入力画像データとを加算する工程とを有する請求項４に記載の画像処理方法。
【発明の詳細な説明】
【技術分野】
【０００１】
本発明は、フィルムに記録された画像などを適正な写真プリントなどに仕上げるための画像処理装置、および画像処理方法に関し、特に、フィルムに記録された画像の濃度域に関わらず、色再現性が優れた高画質の仕上りプリントなどの画像を得ることができる画像処理装置、および画像処理方法に関するものである。
【背景技術】
【０００２】
従来、フィルムのような撮影輝度のダイナミックレンジが広いメディアから限られた再現濃度範囲のペーパ（印画紙）にプリントし、写真プリントを得る場合、フィルムに記録された画像を写真プリントなどに適正に仕上げるために種々の画像処理が行われている（特許文献１等参照）。
【０００３】
例えば、フィルム画像を適正な写真プリントなどに仕上げるために、ハイパートーン処理と呼ばれる画像処理方法が用いられている。
ハイパートーン処理は、入力画像データを低周波成分と高周波成分とに分離して、低周波成分に対して階調の伸張を行い、この階調が伸張された画像データに、さらに入力画像データを足すことにより、画像のメリハリ感を損なわずに階調を伸張することができる画像処理である。ハイパートーン処理は、特にフィルムのような撮影輝度のダイナミックレンジが広いメディアから限られた再現濃度範囲のペーパ（印画紙）にプリントする際、ハイライトおよびシャドーの損失を低減することが可能である。
【０００４】
図６（ａ）は、従来のハイパートーン処理をする画像処理装置を示すブロック図であり、（ｂ）は、図６（ａ）の従来の画像処理装置におけるルックアップテーブル（ＬＵＴ）の変換テーブルを示すグラフである。
図６（ａ）に示すように、従来のハイパートーン処理する画像処理装置１１０は、明暗信号生成部１１２と、ボケ画像生成部１１４と、ルックアップテーブル（以下、ＬＵＴという）１１６と、画像解析部１１７と、加算器１１８とを有する。また、入力画像データは、被写体の画像が記録されたフィルムをスキャナで読み取って得られたものであり、プレスキャンデータは、入力画像データよりも低い解像度で読み取って得られたデータである。
【０００５】
明暗信号生成部１１２は、入力画像データ（ＳＲ、ＳＧ、ＳＢ）のＲ、Ｇ、Ｂの各色の画像データから、二値の明暗画像データ（Ｙ）を作成するものである。明暗画像データ（Ｙ）は、例えば、Ｒ、Ｇ、Ｂの各色の画像データ（ＳＲ、ＳＧ、ＳＢ）の平均値の３分の１を取ることにより作成される。すなわち、明暗画像データは、Ｙ＝（ＳＲ＋ＳＧ＋ＳＢ）／３により作成される。
【０００６】
ボケ画像生成部１１４は、明暗信号生成部１１２により作成された明暗画像データの低周波成分（Ｙ＿ｂ）（以下、ボケ画像データ（Ｙ＿ｂ）という）を得るものである。
【０００７】
ＬＵＴ１１６は、ボケ画像生成部１１４により得られたボケ画像データ（Ｙ＿ｂ）に画像処理を行って、入力画像データのダイナミックレンジを圧縮するための圧縮処理用画像データを作成するものである。このＬＵＴ１１６は、例えば、図６（ｂ）に示すように、傾きが一定の直線１２０で表わされる変換テーブルが設定されている。このＬＵＴ１１６により、画像の明部の濃度が加算され、画像の暗部の濃度が減算される。また、主要被写体等の画像の中心濃度は変わらない。
【０００８】
画像解析部１１７は、プレスキャンデータについて画像解析を行い、ＬＵＹ１１６の変換テーブルをシーンに応じて設定するものである。
【０００９】
加算器１１８は、入力画像データ（ＳＲ、ＳＧ、ＳＢ）と、明暗信号生成部１１２、ボケ画像生成部１１４およびＬＵＴ１１６により処理されたボケ画像データ（Ｙ＿ｂ）とを加算するものである。これにより、主たる画像データのダイナミックレンジが圧縮された出力画像データ（ＯＲ、ＯＧ、ＯＢ）が作成される。
ここで、出力画像データ（ＯＲ、ＯＧ、ＯＢ）と、入力画像データ（ＳＲ、ＳＧ、ＳＢ）との関係は、下記数式（１）〜（３）のように表わすことができる。下記数式（１）〜（３）において、ＬＵＴ（Ｙ＿ｂ）は、ボケ画像データが変換テーブルに入力されたことを示す。
【００１０】
ＯＲ＝ＳＲ＋ＬＵＴ（Ｙ＿ｂ）    ・・・数式（１）
【００１１】
ＯＧ＝ＳＧ＋ＬＵＴ（Ｙ＿ｂ）    ・・・数式（２）
【００１２】
ＯＢ＝ＳＢ＋ＬＵＴ（Ｙ＿ｂ）    ・・・数式（３）
【００１３】
従来のハイパートーン処理においては、入力画像データと、明暗信号生成部１１２、ボケ画像生成部１１４、およびＬＵＴ１１６により入力画像データが処理されて得られたボケ画像データとを加算することにより、入力画像データのダイナミックレンジを非線形に圧縮して、図７に示すように、高濃度側の中高周波成分１３２ａおよび低濃度側の中高周波成分１３４ａを有する入力画像データ１３０ａについて、プリント再現域まで高濃度側の中高周波成分１３２ｂおよび低濃度側の中高周波成分１３４ｂが維持された出力画像データ１３０ｂを得ることができる。このように、出力画像データ１３０ｂのダイナミックレンジ、ならびに明部と暗部との階調および濃度を適正なものとしている。よって、高画質な画像が再現された写真プリントが得られる。
また、従来のハイパートーン処理においては、上記数式（１）〜（３）に示すように、Ｒ、Ｇ、Ｂ各色は、同じ量だけ変化し、色相が変化せず、違和感がない処理をすることができる。
【００１４】
このようなハイパートーン処理を用いた画像処理装置が他にも提案されている（特許文献１参照）。
特許文献１には、カラー画像を表すデジタル画像信号を可視像として再生する画像再生方法が開示されている。この特許文献１の画像再生方法においては、デジタル画像信号を明暗信号に変換し、この明暗信号に基づいてカラー画像のボケ画像を表すボケ画像信号を作成する。そして、デジタル画像信号、およびボケ画像信号に対して相対応する画素についての信号間で減算を行って差信号を得る。この差信号に対して所定の画像処理を施して処理済画像信号を得る。この処理済画像信号を用いることにより、画像全体のコントラストは、弱められているものの、高周波成分により表わされる局所的なコントラストは、原画像であるカラー画像と同様な写真プリントを作製することができる。
【００１５】
【特許文献１】特許第３５６８２７９号公報
【発明の開示】
【発明が解決しようとする課題】
【００１６】
このように、従来、画像信号の持つ濃度範囲が印画紙などの再現媒体の再現可能範囲より広い場合、低周波成分のみを抽出して圧縮することによって、中高周波成分を維持しながら全体を圧縮して再現することが可能である。
【００１７】
しかしながら、ネガフィルムに記録された画像を光電的に読み取った画像信号について処理を行う場合、図８に示すように、ネガフィルムにおける露光量（なお、露光量は対数で示している）と濃度との関係を示す赤（Ｒ）の特性曲線１４０、Ｇ（緑）の特性曲線１４２、およびＢ（青）の特性曲線１４４において、特性曲線１４０、１４２、１４４の足部αおよび肩部βでは、Ｒ、Ｇ、Ｂの色バランスが崩れている。このため、ネガフィルムに記録された画像の記録濃度域が広くフィルムの足部αおよび肩部βに及ぶ場合には、Ｒ、Ｇ、Ｂの色バランスが崩れて記録されることになる。このように、色バランスが崩れて記録された画像を、印画紙の再現域まで圧縮すると、フィルムに記録された被写体（記録画像）が本来の色とは、異なった色で再現されてしまう虞がある。すなわち、カラーフェリアが発生する虞がある。現状では、このような色再現性を考慮したものはない。
【００１８】
本発明の目的は、前記従来技術に基づく問題点を解消し、記録された画像が、フィルムの特性曲線上の足部および肩部の領域の濃度を有するものであっても、色再現性が優れた高画質の仕上りプリントなどの画像を得ることができる画像処理装置、および画像処理方法を提供することにある。
【課題を解決するための手段】
【００１９】
上記目的を達成するために、本発明の第１の態様は、フィルムに記録された画像が光電的に少なくとも赤、緑、青の３原色で読み取られて得られた入力画像データに所定の画像処理を施し、出力用の出力画像データとする画像処理装置であって、前記入力画像データのダイナミックレンジの圧縮処理を行う処理手段を有し、前記処理手段は、前記入力画像データのダイナミックレンジの圧縮条件を設定する設定部を有するものであり、前記設定部は、フィルムの種類ごとにフィルムの前記３原色の特性曲線が記録されたフィルムデータベース、および前記フィルムデータベースを参照して、前記画像が記録されたフィルムの３原色の特性曲線を得、前記フィルムの前記３原色の特性曲線と、前記入力画像データの各画素の３原色の各色の濃度とを比較し、前記入力画像データのうち、画素の３原色の各色の濃度が前記特性曲線の足部または肩部にあるものについては、それぞれ前記特性曲線に基づいてカラーバランスが適正になるように各色の濃度の補正量を設定し、前記補正量を用いて前記ダイナミックレンジの圧縮条件を設定する画像解析部を備えるものであり、前記画像解析部は、画素の３原色の各色の濃度が前記特性曲線の足部または肩部ではないものについては、補正量を設定することなく、前記ダイナミックレンジの圧縮条件を設定することを特徴とする画像処理装置を提供するものである。
【００２０】
本発明においては、前記処理手段は、前記入力画像データの明暗画像データを作成する作成手段と、前記明暗画像データの低周波成分を抽出する抽出手段と、前記設定部により設定された圧縮条件に基づく圧縮量で前記入力画像データを圧縮するための圧縮処理用画像データを、前記低周波成分と前記補正量とに基づいて作成する圧縮処理用画像データ作成手段と、前記圧縮処理用画像データと前記入力画像データとを加算する加算器とを備えることが好ましい。
【００２１】
また、本発明においては、前記処理手段は、前記入力画像データの明暗画像データを前記入力画像データと前記補正量とに基づいて作成する作成手段と、前記明暗画像データの低周波成分を抽出する抽出手段と、前記設定部により設定された圧縮条件に基づく圧縮量で前記入力画像データを圧縮するための圧縮処理用画像データを、前記低周波成分から作成する圧縮処理用画像データ作成手段と、前記圧縮処理用画像データと前記入力画像データとを加算する加算器とを備えることが好ましい。
【００２２】
また、本発明の第２の態様は、フィルムに記録された画像が光電的に少なくとも赤、緑、青の３原色で読み取られて得られた入力画像データに所定の画像処理を施し、出力用の出力画像データとする画像処理方法であって、前記入力画像データの各画素の濃度を特定する工程と、前記画像が記録されたフィルムの種類を特定し、特定されたフィルムの前記３原色の特性曲線と、前記入力画像データの各画素の３原色の各色の濃度とを比較し、画素の３原色の各色の濃度が前記特性曲線の足部または肩部にあるものについては、それぞれ前記特性曲線に基づいてカラーバランスが適正になるように各色の濃度の補正量を設定する工程と、濃度が前記特性曲線の足部または肩部にあるものについては、前記補正量の情報を用いて、前記入力画像データのダイナミックレンジの圧縮条件を設定し、画素の３原色の各色の濃度が前記特性曲線の足部または肩部ではないものは、補正量を設定することなく、前記ダイナミックレンジの圧縮条件を設定する工程と、前記設定されたダイナミックレンジの圧縮条件に応じて、前記入力画像データのダイナミックレンジの圧縮処理を行う工程とを有することを特徴とする画像処理方法を提供するものである。
【００２３】
本発明においては、前記補正量を設定する工程の後工程に、前記入力画像データの明暗画像データを作成する工程と、前記明暗画像データの低周波成分を抽出する工程とを有し、前記入力画像データのダイナミックレンジの圧縮処理を行う工程は、前記ダイナミックレンジの圧縮条件に基づく圧縮量で前記入力画像データを圧縮するための圧縮処理用画像データを、前記低周波成分および前記補正量に基づいて作成し、前記圧縮処理用画像データと前記入力画像データとを加算するものであることが好ましい。
【００２４】
また、本発明においては、前記補正量を設定する工程の後工程に、前記入力画像データと前記補正量とに基づいて、前記明暗画像データを作成する工程を有し、さらに、前記明暗画像データの低周波成分を抽出する工程と、前記入力画像データのダイナミックレンジの圧縮処理を行う工程は、前記ダイナミックレンジの圧縮条件に基づく圧縮量で前記入力画像データを圧縮するための圧縮処理用画像データを、前記低周波成分に基づいて作成し、前記圧縮処理用画像データと前記入力画像データとを加算する工程とを有することが好ましい。
【発明の効果】
【００２５】
本発明の画像処理装置、および画像処理方法によれば、フィルムに記録された画像が光電的に少なくとも赤、緑、青の３原色で読み取られて得られた入力画像データと、画像が記録されたフィルムの３原色の特性曲線とを比較し、入力画像データのうち、画素の３原色の各色の濃度が特性曲線の足部または肩部にあるものについては、それぞれ特性曲線に基づいてカラーバランスが適正になるように各色の濃度の補正量を設定し、この補正量を用いてダイナミックレンジの圧縮条件を設定し、画素の３原色の各色の濃度が前記特性曲線の足部または肩部ではないものについては、補正量を設定することなく、ダイナミックレンジの圧縮条件を設定することにより、フィルムに記録された画像が、フィルムの特性曲線の足部および肩部の領域の濃度を有するものであっても、カラーフェリアの発生を抑制でき、色再現性が優れた高画質の仕上りプリントなどの画像を得ることができる。
【発明を実施するための最良の形態】
【００２６】
以下に、添付の図面に示す好適実施例に基づいて、本発明の画像処理装置、および画像処理方法を詳細に説明する。
図１は、本発明の画像処理装置を有するプリントシステムの第１実施例を示すブロック図である。
図１に示すように、本実施例のプリントシステム１０は、入力機１２ａと、受付機１２ｂと、操作部１３と、画像処理装置１６と、プリンタ１８とを有する。入力機１２ａおよび受付機１２ｂと画像処理装置１６とが接続されており、さらに画像処理装置１６とプリンタ１８とが接続されている。
【００２７】
入力機１２ａは、フィルムに撮影された被写体の画像を光電的に読み取り、入力画像データをデジタル画像データとして取得するものであり、入力画像データが画像処理装置１６に出力される。
入力機１２ａは、例えば、スキャナである。このスキャナは、フィルム等に撮影された画像を１コマずつ光電的に読み取る装置であり、光源と、可変絞りと、画像をＲ（赤）、Ｇ（緑）およびＢ（青）の三原色に分解するためのＲ、ＧおよびＢの３枚の色フィルタを有し、回転して任意の色フィルタを光路に作用する色フィルタ板と、フィルムに入射する読取光をフィルムの面方向で均一にする拡散ボックスと、結像レンズユニットと、フィルムの１コマの画像を読み取るエリアセンサであるＣＣＤセンサと、アンプ（増幅器）と、Ｒ，ＧおよびＢの各出力信号を、Ａ／Ｄ（アナログ／デジタル）変換、Ｌｏｇ変換（濃度変換）、ＤＣオフセット補正、暗時補正、およびシェーディング補正等を行うデータ処理部（図示せず）を有して構成される。
【００２８】
また、このスキャナは、新写真システム(Advanced Photo System)または１３５サイズのネガ（あるいはリバーサル）フィルム等のフィルムの種類、サイズ、ストリップス、スライド等のフィルムの形態等に応じて、スキャナの本体に装着自在な専用のキャリアが用意されており、キャリアを交換することにより、各種のフィルムに対応することができる。フィルムに撮影され、プリント作成に供される画像（コマ）は、このキャリアによって所定の読取位置に搬送、保持される。
【００２９】
また、１３５サイズのフィルムに対応するキャリアには、ＤＸコードを読み取る読取手段が設けられている。これにより、フィルムの感度、撮影枚数、コマ番号、およびフィルムの種類などを読み取ることができる。これらの各種の情報のうち、少なくともフィルム種が画像処理装置１６に出力される。
さらに、周知のように、新写真システムのフィルムには、磁気記録媒体が形成され、カートリッジＩＤまたはフィルム種等が記録されており、さらに、撮影時または現像時等に、撮影日時、撮影時のストロボ発光の有無、撮像倍率、撮影シーンＩＤ、主要部位置の情報、および現像機の種類等の各種のデータが記録可能である。新写真システムのフィルム（カートリッジ）に対応するキャリアには、この磁気情報の読取手段が配置されており、フィルムを読取位置に搬送する際に磁気情報を読み取り、前記各種の情報のうち、少なくともフィルム種が画像処理装置１６に出力される。
【００３０】
このようなスキャナにおいては、光源から射出され、可変絞りによって光量調整され、色フィルタ板を通過して色調整され、拡散ボックスで拡散された読取光が、キャリアによって所定の読取位置に保持されたフィルムの１コマに入射して、透過することにより、フィルムに撮影されたこのコマの画像を担持する投影光を得る。フィルムの投影光は、結像レンズユニットによってＣＣＤセンサの受光面に結像され、ＣＣＤセンサによって光電的に読み取られ、その出力信号がアンプで増幅されて、画像処理装置１６に送られる。ＣＣＤセンサは、例えば、１３８０×９２０画素のエリアＣＣＤセンサが用いられる。
【００３１】
スキャナにおいては、このような画像読取を、色フィルタ板の各色フィルタを順次挿入して３回行うことにより、１コマの画像をＲ，ＧおよびＢの３原色に分解して読み取る。
【００３２】
スキャナは、エリアＣＣＤセンサを用い、色フィルタ板によって読取光を調整することにより、原稿画像（フィルムの投影光）を３原色に分解して画像の読み取りを行っているが、本発明の画像処理装置に画像データを供給するスキャナとしては、Ｒ，ＧおよびＢの３原色のそれぞれの読み取りに対応する３つのラインＣＣＤセンサを用い、フィルムをキャリアで走査搬送しつつスリット状の読取光（投影光）によって画像読取を行う、いわゆるスリット走査によって画像を読み取る画像読取装置であってもよい。
【００３３】
また、スキャナは、フィルムに撮影された各コマの画像、すなわち、原画像の読み取りを、低解像度で読み取るプレスキャンと、高解像度で読み取るファインスキャンの２回の画像読取を行う。プレスキャンでは、フィルムに撮影された画像の濃度が極端に低い場合（例えば、アンダー露光のネガ画像）でも、エリアＣＣＤセンサの出力が飽和することがないように、エリアＣＣＤセンサの蓄積時間および可変絞りの絞り値等が設定された、プレスキャンの読取条件でフィルムの読み取りが行われる。このプレスキャンによって得られたプレスキャンデータは、ＬＵＴ設定部３０の画像解析部３２に出力される。
また、ファインスキャンにより得られたファインスキャンデータは、入力画像データとなる。
【００３４】
また、操作部１３は、入力機１２ａおよび画像処理装置１６に接続されており、これらの入力機１２ａおよび画像処理装置１６に、様々な条件の入力（設定）、処理の選択、指示、または色／濃度補正などの指示等を入力するためのキーボードおよびマウスを有する操作系と、取得された入力画像、各種の操作指示および様々な条件の設定／登録画面等を表示するディスプレイとを有するものである。
【００３５】
受付機１２ｂは、ラボ店またはコンビニエンスストアの店頭などの、例えば、カウンタ上に設置され、顧客の注文を受け付けるために、オペレータが注文内容、注文事項等の注文情報データを入力して受付・登録するためのものであり、通常、モニタ表示画面を備えたパーソナルコンピュータ（ＰＣ）で構成される。なお、受付機１２ｂの設置場所は、特に限定されるものではない。
また、撮影済みのフィルムが、受付機１２ｂが設けられているカウンタなどで受け取られる。なお、画像の記録形態は、記録媒体の片面に記録されるものに限定されるものではなく、記録媒体の両面に画像が形成されるものであってもよい。
【００３６】
この受付機１２ｂにおいては、注文情報データが入力されて注文が確定されると、例えば、受付番号を注文情報データに付与するとともに、受付日時も記録する。また、注文情報データを照合し、以前に入力された顧客である場合には、予め付与されている顧客ＩＤを付与する。一方、以前に入力された顧客でない場合には、顧客ＩＤを新たに付与する。このように、受付機１２ｂにおいては、注文情報データに受付番号、受付日時、および顧客ＩＤを付与して、プリント注文された画像データとともに画像処理装置１６に出力する。また、受付機１２ｂには、注文が確定した場合に発行される引換券をプリントするプリンタが設けられている。引換券の形態は、特に限定されるものではなく、受け取り可能な日時などが記録されていれば良い。
【００３７】
本実施例において、受付機１２ｂに入力される注文情報データは、例えば、顧客の氏名、顧客の電話番号、および顧客の住所などの顧客情報である。加えて、注文情報データは、プリントの種類、サイズおよび枚数、プリントする画像の仕上り、ならびに飾りプリントの有無などのプリント処理内容（注文内容）を含むものである。
【００３８】
画像処理装置１６は、入力機１２ａにより取得された入力画像データに所定の画像処理を施し、プリント１８用の出力画像データとするものである。この画像処理装置１６については、後に詳細に説明する。
【００３９】
プリンタ１８は、出力画像データに基づいて、写真プリントを作製するものである。このプリンタ１８は、例えば、画像処理装置１６から出力された出力画像データに応じて変調した光ビームで感光材料を画像露光し、現像処理して（仕上り）プリントとして出力するものである。
また、プリンタ１８としては、銀塩写真方式のものに限定されるものではなく、例えば、インクジェットプリンタ、電子写真方式および熱溶融方式のプリンタなどの紙等の記録媒体に画像を記録するものを用いることができる。また、プリンタ１８は、適宜要求される画質またはプリント形態に応じた方式のものを用いることができ、画像を記録媒体の片面または両面に記録するものであってもよい。
【００４０】
本実施例の画像処理装置１６は、基本画像処理部１４と、ハイパートーン処理部２０と、ＬＵＴ設定部３０と、データ変換部４０と、制御部４２とを有するものである。ハイパートーン処理部２０およびＬＵＴ設定部３０により本発明の処理手段が構成される。
データ変換部４０は、得られた出力画像データをプリンタ１８で出力できるプリント画像データに変換するものである。出力画像データからプリント画像データへの変換は、例えば、３次元のルックアップテーブルによりなされる。
制御部４２は、基本画像処理部１４、ハイパートーン処理部２０、ＬＵＴ設定部３０、およびデータ変換部４０に接続されており、これらの基本画像処理部１４、ハイパートーン処理部２０、ＬＵＴ設定部３０、およびデータ変換部４０を全て制御するものである。
【００４１】
基本画像処理部１４は、画像の色／濃度（調子再現、色再現）および像構造（鮮鋭度、粒状性）等が適正な画像を出力するための基本的な画像処理をするものである。この基本的な画像処理を行うことにより、画像は画質的には完成したものとなる。基本的な画像処理とは、例えば、画像の拡大または縮小（電子変倍処理）、階調補正、色／濃度補正、彩度補正、およびシャープネス処理である。
【００４２】
ハイパートーン処理部２０は、明暗信号生成部（作成手段）２２と、ボケ画像生成部（抽出手段）２４と、非線形変換部（圧縮処理用画像データ作成手段）２６と、加算器２８とを有する。
【００４３】
明暗信号生成部２２は、入力機１２ａまたは受付機１２ｂから入力される入力画像データ（ＳＲ、ＳＧ、ＳＢ）（Ｒ、ＧおよびＢの各色の画像データ）から明暗画像データ（Ｙ）を作成するものである。また、明暗画像データによる画像を明暗画像という。
この明暗画像データの生成方法としては、Ｒ、ＧおよびＢの各色の画像データ（ＳＲ、ＳＧ、ＳＢ）の平均値の３分の１を取る方法（Ｙ＝（ＳＲ＋ＳＧ＋ＳＢ）／３）、またはＹＩＱ規定を用いてカラー画像データを明暗画像データに変換する方法等が例示される。ＹＩＱ規定を用いて明暗画像データ（以下、Ｙ成分データともいう）を得る方法としては、例えば、Ｙ＝０．３ＳＲ＋０．５９ＳＧ＋０．１１ＳＢにより、ＹＩＱ規定のＹ成分（輝度）のみをＲ、ＧおよびＢの各色の画像データから算出する方法が例示される。
【００４４】
ボケ画像生成部２４は、明暗信号生成部２２で生成された明暗画像データ（Ｙ）から低周波数成分を抽出することにより、明暗画像を２次元的にボカして、ボケ画像データ（Ｙ＿ｂ）（低周波数成分）を得るものである。このボケ画像生成部２４に用いるフィルタとしては、ボケ画像データ（Ｙ＿ｂ）の生成に通常用いられるＦＩＲ（Finite Impulse Response）型のローパスフィルタを用いることができる。また、ボケ画像生成部２４には、小型の回路で大きく画像をボカしたボケ画像データ（Ｙ＿ｂ）を生成できる点でＩＩＲ(Infinite Impulse Response)型のローパスフィルタを用いることが好ましい。
【００４５】
さらに、ボケ画像生成部２４として、メディアンフィルタ（以下、ＭＦという）を用いてもよい。ＭＦを用いることにより、明暗画像のエッジを保存して、平坦部のノイズ（高周波成分）をカットしたボケ画像データ（Ｙ＿ｂ）が得られるという点で好ましい。また、ＭＦの利点を生かした上で、大きく画像をボカしたボケ画像データ（Ｙ＿ｂ）を生成できるという点で、ＭＦとＬＰＦとを併用して、両者で得られた画像を重み付け加算するのが、特に好ましい。
【００４６】
非線形変換部２６は、ボケ画像生成部２４により得られたボケ画像データ（低周波成分）に画像処理を行って、後述するようにＬＵＴ設定部３０により設定された圧縮条件に基づく圧縮量で、入力画像データを圧縮するための圧縮処理用画像データ（ＬＵＴ（Ｙ＿ｂ））をボケ画像データ（Ｙ＿ｂ）および補正量、またはボケ画像データ（Ｙ＿ｂ）に基づいて作成するものである。この圧縮処理用画像データ（ＬＵＴ（Ｙ＿ｂ））は、入力画像データ（ＳＲ、ＳＧ、ＳＢ）の圧縮量を指示するものである。非線形変換部２６には、ＬＵＴ設定部３０により設定された圧縮量で入力画像データ（ＳＲ、ＳＧ、ＳＢ）を圧縮するための圧縮処理用画像データ（ＬＵＴ（Ｙ＿ｂ））をボケ画像データ（Ｙ＿ｂ）および補正量、またはボケ画像データ（Ｙ＿ｂ）に基づいて作成する書き換え可能なＬＵＴ（ルックアップテーブル）などの変換テーブルが設けられている。
【００４７】
非線形変換部２６により作成される圧縮処理用画像データ（ＬＵＴ（Ｙ＿ｂ））が示す入力画像データ（ＳＲ、ＳＧ、ＳＢ）の圧縮量は、後述するように、ＬＵＴ設定部３０の画像解析部３２による画像解析に基づいて最終的に設定され、各画像は、シーン毎に最適化される。また、この非線形変換部２６におけるダイナミックレンジの圧縮量は、シーン毎に異なる。すなわち、シーンおよびＬＵＴ設定部３０により、非線形変換部２６における変換テーブルは、その設定が変更される。さらに、本発明においては、後述するように画像解析の結果、濃度が特性曲線の足部または肩部に該当する場合には、再現された画像のカラーバランスが適正となるように補正もされる。
【００４８】
加算器２８は、入力画像データ（ＳＲ、ＳＧ、ＳＢ）と、非線形変換部２６により作成された圧縮処理用画像データ（ＬＵＴ（Ｙ＿ｂ））とを加算するものである。入力画像データ（ＳＲ、ＳＧ、ＳＢ）と圧縮処理用画像データ（ＬＵＴ（Ｙ＿ｂ））とが加算器２８で加算されることにより、入力画像データのダイナミックレンジが圧縮され、出力用の出力画像データ（ＯＲ、ＯＧ、ＯＢ）が得られる。この加算器２８は、従来のハイパートーン処理装置１１０（図６（ａ）参照）の加算器１１８（図６（ａ）参照）と同様の構成である。
【００４９】
ＬＵＴ設定部３０は、入力画像データ（ＳＲ、ＳＧ、ＳＢ）のダイナミックレンジの圧縮量を決定するものである。このＬＵＴ設定部３０は、画像解析部３２と、フィルムデータベース３４とを有する。
【００５０】
画像解析部３２は、ハイパートーン処理部２０の非線形変換部２６における基本的な変換テーブルを設定する機能を有するものである。この画像解析部３２は、プレスキャンデータを用いて、被写体の画像（入力画像データ（ＳＲ、ＳＧ、ＳＢ））のダイナミックレンジの圧縮量（ダイナミックレンジの圧縮条件）を設定するものである。
ここで、上述の如く、画像が記録されたフィルムは、赤、緑、青の３原色の特性曲線の足部および肩部において、カラーバランスが崩れている（図８参照）。このため、画像の画素のうち、特性曲線の足部および肩部の濃度域で記録されているものがある場合に、そのままの状態で出力用画像データを作成すると、得られたプリントにカラーフェリアが生じ、色再現性が劣る。このことから、画像解析部３２においては、画像解析を行い、画素の濃度が足部または肩部の濃度範囲にある場合には、フィルムデータベース３４を参照し、カラーバランスが最適化されるように、補正係数（補正量）を設定して、ダイナミックレンジの圧縮量を設定し、カラーフェリアの発生を抑制する。
【００５１】
フィルムデータベース３４は、フィルム種ごとに、フィルムのＲ、Ｇ、Ｂ各色の特性曲線が記録されているものである。また、フィルムデータベース３４は、各フィルムの足部および肩部におけるＲ、Ｇ、Ｂ各色の補正係数が、各濃度についてそれぞれ記録されている。
なお、フィルムデータベース３４における補正係数は、例えば、フィルム毎に、Ｒ、Ｇ、Ｂ各色の各濃度域において、予め関数または実験値などにより設定しておき、濃度に応じた補正量が設定される。なお、補正量の設定方法は、特に限定されるものではない。
【００５２】
画像解析部３２は、入力された各画像のプレスキャンデータに基づいて、フィルムの各コマ（画像）に対応する領域のデータを抽出し、画像位置を検出し、各画像毎の画像処理条件およびファインスキャンの読取条件を設定（演算）するものである。
画像解析部３２においては、各画像のプレスキャンデータから、各画像毎に、濃度ヒストグラムの作成、平均濃度、ＬＡＴＤ（大面積透過濃度）、ハイライト（最低濃度）、およびシャドー（最高濃度）等の画像特徴量の算出等を行う。次いで、キャリアによって読み取られたフィルム種の情報から、原画像の状態を判断し、各画像毎に、原画像の最低濃度よりも若干低い濃度でエリアＣＣＤセンサからの出力が飽和するように、エリアＣＣＤセンサの蓄積時間または絞り値を算出して、ファインスキャンの読取条件とする。さらに、濃度ヒストグラム、画像特徴量、およびフィルム情報等に基づいて、各画像毎に、基本画像処理部１４における入力画像データ（ファインスキャンデータ）の画像処理条件を設定する。
【００５３】
また、画像解析部３２は、各画像の濃度ヒストグラムと、撮影に用いられたフィルムの特性曲線とを比較し、特性曲線の肩部または足部に該当する画素を特定する。肩部または足部に該当しない（特性曲線のラチチュードの範囲）濃度の画素では、補正をせずに、補正係数を１とする。
一方、特性曲線の肩部または足部に該当する画素がある場合には、フィルムデータベース３４を参照し、フィルムデータベース３４に各フィルム毎に設定されている補正係数の値を読み込み、補正係数を設定する。
【００５４】
本実施例の画像解析部３２は、基本的に非線形変換部２６の変換テーブルを設定するものである。
各画像のプレスキャンデータによる画像解析の結果、フィルムに記録された画像の画素の各色における濃度と、撮影に用いられたフィルムの特性曲線とを比較し、被写体の画像においてカラーバランスが崩れている濃度領域を特定し、カラーバランスが崩れている領域において、カラーバランスを適正なものとするための補正量を設定し、入力画像データのダイナミックレンジの圧縮量が設定される。
また、本実施例においては、肩部または足部に該当しない（特性曲線のラチチュードの範囲）場合には、補正はせずに、各画像のプレスキャンデータに基づいて、従来と同様に入力画像データのダイナミックレンジの圧縮量が設定される。これにより、従来の通り色相を変化させずに圧縮される。
【００５５】
本実施例の画像解析部３２は、最終的に、カラーバランスの補正量も考慮されたダイナミックレンジの圧縮量を、例えば、階調制御信号として非線形変換部２６に出力する。これにより、非線形変換部２６により得られる入力画像データのダイナミックレンジを圧縮するための圧縮処理用画像データが、ＬＵＴ設定部３０により補正された入力画像データの各濃度域においてカラーバランスが適正になるように設定されたダイナミックレンジの圧縮量を指示するものとなる。
【００５６】
本実施例における入力画像データ（ＳＲ、ＳＧ、ＳＢ）と、出力画像データ（ＯＲ、ＯＧ、ＯＢ）との関係は、下記数式（４）〜（６）のように表わされる。なお、下記数式（４）〜（６）におけるＬＵＴ（Ｙ＿ｂ）は、ボケ画像データが変換テーブルに入力されたことを示すものであり、ＣＲ、ＣＧ、ＣＢは、それぞれ、Ｒ、Ｇ、Ｂ各色における補正係数である。
また、本実施例においては、下記数式（４）〜（６）に示すように、Ｒ、Ｇ、Ｂ各色は、カラーバランスに応じた量だけ変化し、色相を変化させて圧縮し、カラーバランスを補正する。
【００５７】
ＯＲ＝ＳＲ＋ＬＵＴ（Ｙ＿ｂ）×ＣＲ    ・・・数式（４）
【００５８】
ＯＧ＝ＳＧ＋ＬＵＴ（Ｙ＿ｂ）×ＣＧ    ・・・数式（５）
【００５９】
ＯＢ＝ＳＢ＋ＬＵＴ（Ｙ＿ｂ）×ＣＢ    ・・・数式（６）
【００６０】
次に、本実施例の画像処理装置１６の動作について説明する。
図２は、本発明の第１実施例のプリントシステムにおける画像処理装置のＬＵＴ設定部による圧縮量の設定方法を示すフローチャートである
【００６１】
ファインスキャンに先立ち、フィルムについて、先ず、Ｒ、Ｇ、Ｂの各色についてプレスキャンを実施し、各色のプレスキャンデータを取得する（ステップＳ１０）。このとき、ＤＸコードまたはＡＰＳの磁気記録などが読み取られており、フィルム種についても特定されている。
【００６２】
次に、画像解析部において、プレスキャンデータに基づいて、各画像毎に、濃度ヒストグラムの作成、平均濃度、ＬＡＴＤ（大面積透過濃度）、ハイライト（最低濃度）、およびシャドー（最高濃度）等の画像特徴量の算出等を行い、さらにフィルム種の情報から、原画像の状態を判断し、各画像毎に、原画像の最低濃度よりも若干低い濃度でエリアＣＣＤセンサからの出力が飽和するように、エリアＣＣＤセンサの蓄積時間または絞り値を算出して、ファインスキャンの読取条件を設定する（ステップＳ１２）。
【００６３】
次に、画像解析部により算出された濃度ヒストグラムに基づいて、画像の各画素の各色毎に濃度を絶対濃度として算出する。これにより、濃度範囲が特定される（ステップＳ１４）。これにより、フィルムのベース濃度からの各画素の絶対濃度が、各色毎に得られる。
【００６４】
次に、フィルムデータベースを参照する（ステップＳ１６）。これにより、撮影に用いられたフィルムの特性曲線を得る。
次に、ステップＳ１４により得られた各画素の各色の濃度と、特性曲線とを比較する。このとき、各画素について、濃度が、特性曲線の肩部または足部にあるか否かを識別し、補正が必要な否かが判別される（ステップＳ１８）。
ステップＳ１８において、画像の画素のうち、特性曲線の肩部または足部に該当するものがある場合には、更にフィルムデータベースを参照し、予め各フィルム毎に、各濃度に応じて設定されている補正係数を取得し、補正係数を設定する（ステップＳ２０）。
【００６５】
一方、ステップＳ１８において、画像の画素のうち、特性曲線の肩部または足部に該当するものがない場合、補正係数を１とする（ステップＳ２２）。
なお、本実施例においては、画素の濃度が、特性曲線のラチチュードの範囲にある場合においても、補正係数を１とする。
このようにして、本実施例においては、補正係数が設定される。これを、フィルムに記録された全て画像について行い、各画像毎に画素について、各画素毎に補正係数を設定する。そして、補正係数を考慮して、非線形変換部の変換テーブルを、シーン応じたものとし、更にカラーバランスが適切となるように設定する。このように、必要に応じてカラーバランスを補正し、ダイナミックレンジの圧縮条件を設定する。
【００６６】
次に、画像が記録されたフィルムを再度スキャナで、プレスキャンにより設定された読取条件で、ファインスキャンを行い、入力画像データ（ファインスキャンデータ）を得る。
【００６７】
次に、入力画像データを基本画像処理部１４に入力し、プレスキャンにより設定された画像処理条件で、画像の色／濃度（調子再現、色再現）および像構造（鮮鋭度、粒状性）等が適正な画像を出力するための基本的な画像処理を施す。
次に、入力画像データを画像処理装置１６のハイパートーン処理部２０（明暗信号生成部２２および加算器２８）に出力する。このハイパートーン処理部２０において、先ず、明暗信号生成部２２により、入力画像データのＹ成分データ（明暗画像データ）（Ｙ）が作成される。
【００６８】
次に、明暗信号生成部２２からＹ成分データ（Ｙ）をボケ画像生成部２４に出力する。これにより、ボケ画像生成部２４によりＹ成分データ（Ｙ）のボケ画像データ（Ｙ＿ｂ）が得られる。このボケ画像データ（Ｙ＿ｂ）が非線形変換部２６に出力される。
【００６９】
一方、ＬＵＴ設定部３０により決定されたダイナミックレンジの圧縮量の設定値（補正係数（補正量）を含む）をハイパートーン処理部２０の非線形変換部２６に、例えば、階調制御信号として出力する。これにより、非線形変換部２６に設定された変換テーブルが圧縮量に応じて変更され、非線形変換部２６に設定された変換テーブルが最終的に設定される。
【００７０】
次に、非線形変換部２６によりＹ成分データの低周波成分から、ＬＵＴ設定部３０により設定された圧縮量で、入力画像データを圧縮するための圧縮処理用画像データを作成する。さらに、圧縮処理用画像データが加算器２８に出力される。この加算器２８において、入力画像データと、圧縮処理用画像データとが加算されて、ダイナミックレジンが圧縮された出力画像データ（ＯＲ、ＯＧ、ＯＢ）を得る。
【００７１】
次に、この出力画像データ（ＯＲ、ＯＧ、ＯＢ）がデータ変換部４０に出力されて、プリンタ１８に適合するプリント画像データに変換される。このようにして、画像処理装置１６においては、プリンタ１８により出力可能なプリント画像データが生成される。このプリント画像データに基づいて、プリンタ１８により、画像が記録されたフィルムの特性にかかわらず、シャドー側およびハイライト側の濃度域まで、特に色が適正に再現された高品位な写真プリントを得ることができる。
【００７２】
本実施例の画像処理装置１６においては、入力機１２ａが取得したフィルムに記録された画像のデジタル画像データに、フィルム種に応じた特性曲線を参照し、被写体の画像の濃度に応じた補正を施して、入力画像データの各濃度域におけるダイナミックレンジの圧縮量（圧縮条件）を設定し、非線形変換部２６に設定された変換テーブルを設定することにより、カラーバランスが補正され、特に色が適正に再現された高品位な写真プリントを得ることができる出力画像データを得ることができる。
【００７３】
例えば、図３に模式的示すようなグレーの服を着た男性５２と白いドレスを着た女性５４とが撮影された画像５０においては、図８に示すような濃度範囲Ｄを有し、この濃度範囲Ｄは、特性曲線の肩部βを含む。この画像５０を、従来のハイパートーン処理では、特性曲線の肩部βにおいてカラーバランスが崩れているため、白いドレスに、白以外の色がついて再現されてしまう。
しかしながら、本実施例の画像処理方法においては、カラーバランスを考慮して、補正を施すため、カラーバランスが崩れていることに起因して発生する色味がつくことが抑制される。すなわち、カラーフェリアの発生を抑制することができる。これにより、圧縮度合を大きくしても、カラーバランスが崩れないため、圧縮度合の自由度を高くすることができる。
【００７４】
次に、本発明の画像処理装置の第２実施例について説明する。
図４は、本発明の画像処理装置を有するプリントシステムの第２実施例を示すブロック図である。
なお、本実施例においては、図１に示す第１実施例のプリントシステム１０と同一構成物には、同一符号を付して、その詳細な説明は省略する。
【００７５】
図４に示す本実施例のプリントシステム１０ａは、第１実施例のプリントシステム１０（図１参照）に比して、画像解析部３２ａおよび明暗信号生成部２２ａの構成、ならびに画像解析部３２ａと明暗信号生成部２２ａとが接続されている点が異なり、それ以外の構成は、第１実施例のプリントシステム１０と同様の構成であるため、その詳細な説明は省略する。
【００７６】
本実施例の画像解析部３２ａは、明暗信号生成部２２ａに接続されており、補正係数を明暗信号生成部２２ａに出力する点が、第１実施例のプリントシステム１０の画像解析部３２と異なり、それ以外の構成は同様である。
【００７７】
また、本実施例の明暗信号生成部２２ａは、画像解析部３２ａから出力された補正係数に基づいて、明暗信号を作成する点が、第１実施例のプリントシステム１０の明暗信号生成部２２と異なり、それ以外の構成は同様である。
なお、本実施例における明暗画像データは、Ｙ＝（ＳＲ・ＣＲ＋ＳＧ・ＣＧ＋ＳＢ・ＣＢ）／（ＣＲ＋ＣＧ＋ＣＢ）で算出されるものである。また、ＹＩＱ規定を用いた明暗画像データ（Ｙ＝０．３ＳＲ・ＣＲ＋０．５９ＳＧ・ＣＧ＋０．１１ＳＢ・ＣＢ）でもよい。
【００７８】
本実施例においては、非線形変換部２６における変換テーブルにより、Ｒ、Ｇ、Ｂ各色のデータに補正を加えるものではないものの、明暗画像データにおいて、カラーバランスを補正している。このように、明暗画像データに補正を加えることによっても、第１実施例のプリントシステム１０と同様の効果を得ることができる。
【００７９】
次に、本実施例のプリントシステム１０ａの動作について説明する。
図４は、本発明の第２実施例のプリントシステムにおける画像処理装置のＬＵＴ設定部による圧縮量の補正方法を示すフローチャートである。
【００８０】
本実施例においては、第１実施例のプリントシステム１０に比して、上述の如く、プレスキャンデータを用いて、画像解析部３２ａにより補正係数を設定した（ステップＳ２０）後、または補正係数を１とした（ステップＳ２２）後、補正係数を明暗信号生成部２２ａに出力する（ステップＳ３０、Ｓ３２）点が異なる。さらに、画像解析部３２ａにより、プレスキャンデータを用いて、画像解析を行い、カラーバランスを考慮せずに、ダイナミックレンジの圧縮量を設定し、例えば、階調制御信号として非線形変換部２６に出力する点が異なり、それ以外の画像処理方法については、第１実施例のプリントシステム１０と同様であるため、その詳細な説明は省略する。
【００８１】
本実施例のプリントシステム１０ａにおいても、第１実施例と同様に、例えば、白いドレスを着た女性５４の画像５０（図３参照）についてダイナミックレンジを圧縮した場合、カラーバランスが崩れていることに起因して発生する色味が付くことが抑制される。すなわち、カラーフェリアの発生を抑制することができる。すなわち、本実施例のプリントシステム１０ａにおいても、第１実施例と同様に高品位なプリントを得ることができる。
また、本実施例においては、明暗画像データに補正を加えるため、非線形変換部２６の変換テーブルによる圧縮量を抑えることができる。これにより、カラーバランスを保ちつつ、黒の締まりの損失および白の抜けが悪くなることも抑制することができる。
【００８２】
なお、いずれの実施例においても、フィルムの濃度を測定する濃度計を設けてもよい。濃度計を設けることにより、画像の濃度の測定精度を更に高くすることができ、カラーバランスの補正の精度を更に高くすることができる。これにより、更に高品位なプリントを得ることができる。
また、いずれの実施例においても、フィルム種は、受付機１２ｂまたは操作部１３から画像解析部３２に直接入力してもよい。さらに、フィルム種が、特定できない場合には、補正係数を全て１とする。
【００８３】
本発明の画像処理装置は、入力画像のダイナミックレンジを圧縮する機能を有する装置であってもよいが、例えば、一般的なパーソナルコンピュータシステムと、その上で動作するソフトウェアプログラムによって実現することも可能である。また、本発明の入力画像のダイナミックレンジを圧縮処理するプログラムは、本発明の画像処理方法を適用して、入力画像のダイナミックレンジが圧縮された出力画像データを作成するものである。
【００８４】
本発明は、基本的に以上のようなものである。以上、本発明の画像処理装置、および画像処理方法について詳細に説明したが、本発明は上記実施形態に限定されず、本発明の主旨を逸脱しない範囲において、種々の改良または変更をしてもよいのはもちろんである。
【図面の簡単な説明】
【００８５】
【図１】本発明の画像処理装置を有するプリントシステムの第１実施例を示すブロック図である。
【図２】本発明の第１実施例のプリントシステムにおける画像処理装置のＬＵＴ設定部による圧縮量の設定方法を示すフローチャートである。
【図３】入力画像の一例を示す模式図である。
【図４】本発明の画像処理装置を有するプリントシステムの第２実施例を示すブロック図である。
【図５】本発明の第２実施例のプリントシステムにおける画像処理装置のＬＵＴ設定部による圧縮量の補正方法を示すフローチャートである。
【図６】（ａ）は、従来のハイパートーン処理をする画像処理装置を示すブロック図であり、（ｂ）は、図６（ａ）の従来の画像処理装置におけるルックアップテーブル（ＬＵＴ）の変換テーブルを示すグラフである。
【図７】縦軸に画像濃度をとり、横軸に画像位置をとって、従来の画像処理方法を示すグラフである。
【図８】縦軸に濃度をとり、横軸に露光量をとって、ネガフィルムの赤、緑、青の各色の特性曲線を示すグラフである。
【符号の説明】
【００８６】
１０、１０ａ  プリントシステム
１２ａ  入力機
１２ｂ  受付機
１３  操作部
１４  基本画像処理部
１６  画像処理装置
１８  プリンタ
２０  ハイパートーン処理部
２２、２２ａ  明暗信号生成部
２４  ボケ画像生成部
２６  非線形変換部
２８  加算器
３０  ＬＵＴ設定部
３２  画像解析部
３４  フィルムデータベース
４０  データ変換部
５０  画像
１４０  赤の特性曲線
１４２  緑の特性曲線
１４４  青の特性曲線
α  足部
β  肩部
【図１】
2007074373.tif 000003
【図２】
2007074373.tif 000004
【図３】
2007074373.tif 000005
【図４】
2007074373.tif 000006
【図５】
2007074373.tif 000007
【図６】
2007074373.tif 000008
【図７】
2007074373.tif 000009
【図８】
2007074373.tif 000010